(57)【要約】【課題】拳銃の露呈部分を少なくして体裁を良好にできると共に、カバーのロック又はロック解除を簡単かつ素早く行うことができ、操作性を向上させることができる拳銃用ホルスタを提供することを目的とする。【解決手段】拳銃５を入れる開口１１を有し、この開口１１から挿入された拳銃５を収納するホルスタ本体１０と、ホルスタ本体１０に収納された拳銃５の撃鉄部５２と開口１１を覆うように形成されたカバー１２と、カバー１２を、開口１１を覆って拳銃５を取り出し不可能な閉鎖位置から拳銃５を取り出し可能な開放位置に回動させるカバースプリング２１と、カバー１２を閉鎖位置にてロックするロック部材１４と、このロック部材１４によるロック状態を解除する操作部であるプッシュレバー１５と、を有する。【選択図】図１
2011153770.tif 000002
【特許請求の範囲】
【請求項１】
拳銃を入れる開口を有し、前記開口から挿入された拳銃を収納するホルスタ本体と、
前記ホルスタ本体に収納された拳銃の少なくとも撃鉄部と前記開口を覆うように形成されたカバーと、
前記カバーを、前記開口を覆って前記拳銃を取り出し不可能な閉鎖位置から前記拳銃を取り出し可能な開放位置に回動させる回動部と、
前記カバーを前記閉鎖位置にてロックするロック部材と、
前記ロック部材によるロック状態を解除する操作部と、
を有することを特徴とする拳銃用ホルスタ。
【請求項２】
前記操作部は、前記グリップを握った状態で指が届く位置に設けられていることを特徴とする請求項１に記載の拳銃用ホルスタ。
【請求項３】
前記ホルスタ本体に設けられ、前記カバーが前記開放位置にて前記カバーの位置を規制するストッパを有することを特徴とする請求項１または請求項２に記載の拳銃用ホルスタ。
【請求項４】
前記操作部は、前記カバーに設けられており、
前記ロック部材は、
前記操作部の裏面に設けられた突起部と、
前記ホルスタ本体に設けられ、前記突起部と係合して前記カバーを前記閉鎖位置にてロックする係合部と、
前記操作部に設けられた突起部が前記本体に設けられた係合部に係合する方向に付勢する第１付勢手段と、を有し、
前記回動部は、前記カバーを前記閉鎖位置から前記開放位置の方向に付勢する第２付勢手段を備えることを特徴とする請求項１から請求項３のいずれかに記載の拳銃用ホルスタ。
【請求項５】
前記カバーに設けられ、前記カバーの外形より窪んだ凹部を有し、
前記前記操作部は、前記凹部に配置されていることを特徴とする請求項１から請求項４のいずれかに記載の拳銃用ホルスタ。
【発明の詳細な説明】
【技術分野】
【０００１】
本発明は、拳銃用ホルスタに関する。
【背景技術】
【０００２】
従来、拳銃を収納する拳銃用ホルスタが提案されている（例えば、特許文献１，２参照）。特許文献１の拳銃用ホルスタでは、拳銃を収納する収納部と、収納部に開閉自在に設けられたカバー部とを有し、カバー部には、手を掛けることのできる引っ掛け部が形成されている。この構成によって、片手のみでケースから拳銃を円滑に取り出すことができる。また、特許文献２の拳銃用ホルスタでは、拳銃の脱落を防止するロック装置が拳銃を収納する収納部に設けられたものが提案されている。
【先行技術文献】
【特許文献】
【０００３】
【特許文献１】特開２００６−２９６４５号公報
【特許文献２】特表２００９−５２６１９６号広報
【発明の概要】
【発明が解決しようとする課題】
【０００４】
しかしながら、上記特許文献１の拳銃用ホルスタでは、収納部とカバー部の間に隙間があり、この隙間から砂、水、泥等が浸入しやすいという問題があった。また、片手のみでカバー部を開けることができるが、カバーを開ける動作と拳銃を抜く動作という二つの動作が必要となり、拳銃を簡単かつ素早く抜くことができなかった。
【０００５】
また、特許文献２の拳銃用ホルスタでも、同様に、収納部と拳銃の間の隙間から、砂、水、泥等が浸入しやすいという問題があった。また、ロック装置を外す動作と拳銃を抜く動作という二つの動作が必要となり、拳銃を簡単かつ素早く抜くことができなかった。
【０００６】
そこで、本発明は上記問題点に鑑みなされたものであって、拳銃を簡単かつ素早く抜くことができ、かつ砂、水、泥等の侵入を防止することができる拳銃用ホルスタを提供することを目的とする。
【課題を解決するための手段】
【０００７】
上記課題を解決するために、本発明の拳銃用ホルスタは、拳銃を入れる開口を有し、前記開口から挿入された拳銃を収納するホルスタ本体と、前記ホルスタ本体に収納された拳銃の少なくとも撃鉄部と前記開口を覆うように形成されたカバーと、前記カバーを、前記開口を覆って前記拳銃を取り出し不可能な閉鎖位置から前記拳銃を取り出し可能な開放位置に回動させる回動部と、前記カバーを前記閉鎖位置にてロックするロック部材と、前記ロック部材によるロック状態を解除する操作部と、を有する。
【０００８】
本発明によれば、カバーはホルスタ本体に収納された拳銃と開口を覆うように形成されているため、拳銃の銃口を含め拳銃の重要な機構部分を極力覆うことができ、ホルスタ本体内への砂、水、泥等の浸入を防止することができる。また、操作部を操作することによりカバーが開放位置に回動するため、拳銃を簡単かつ素早く抜くことができ、操作性が向上する。また、カバーはホルスタ本体に回動可能に設けられているので、カバーを開放位置に回動させた場合でも、全体をコンパクトにできる。
【０００９】
ここで、前記操作部は、拳銃のグリップを握った状態で指が届く位置に設けられている構成にできる。本発明によれば、前記グリップを握った状態でロックを解除し、拳銃を取り出すという一連の操作が可能となる。
【００１０】
また、前記ホルスタ本体に設けられ、前記カバーが前記開放位置にて前記カバーの位置を規制するストッパを有する構成にできる。本発明によれば、開放位置においてカバーの位置を規制することができ、ホルスタ本体とカバーが直接接触するのを防止できる。
【００１１】
また、前記操作部は、前記カバーに設けられており、前記ロック部材は、前記操作部の裏面に設けられた突起部と、前記本体に設けられ、前記突起部と係合して前記カバーを前記第１の位置にてロックする係合部と、前記操作部に設けられた突起部が前記本体に設けられた係合部に係合する方向に付勢する第１付勢手段と、を有し、前記回動部は、前記カバーを前記閉鎖位置から前記開放位置の方向に付勢する第２付勢手段を備える構成にできる。
【００１２】
また、前記カバーに設けられ、前記カバーの外形より窪んだ凹部を有し、前記操作部は、前記凹部に配置されている構成にできる。本発明によれば、操作部の意図しない操作を防止できる。
【発明の効果】
【００１３】
本発明によれば、拳銃を簡単かつ素早く抜くことができ、かつ砂、水、泥等の侵入を防止することができる拳銃用ホルスタを提供することができる。
【図面の簡単な説明】
【００１４】
【図１】（ａ）は本発明の拳銃用ホルスタを示す上面図、（ｂ）は正面図である。
【図２】本発明の拳銃用ホルスタの左側面図であり、（ａ）は端部の一部に開口を有する場合の例を示す図、（ｂ）は端部の全部が開口している場合の例を示す図である。
【図３】（ａ）はカバーが閉鎖位置にある状態でロックを解除した状態を示す上面図、（ｂ）はカバーが開放位置に向かう状態の正面図である。
【発明を実施するための形態】
【００１５】
以下、添付図面を参照して、本発明を実施するための形態（以下、実施形態）について詳細に説明する。
【００１６】
図１（ａ）は本発明の拳銃用ホルスタを示す上面図、（ｂ）は正面図である。図２は、本発明の拳銃用ホルスタの左側面図であり、（ａ）は端部の一部に開口を有する場合の例を示す図、（ｂ）は端部の全部が開口している場合の例を示す図である。図３（ａ）はカバーが閉鎖位置にある状態でロックを解除した状態を示す上面図、（ｂ）はカバーが開放位置に向かう状態の正面図である。
【００１７】
まず、拳銃５について説明すると、図１に示すように、拳銃５には、グリップ５１と、撃鉄部５２と、銃身５３と、銃口５４と、引き金部５５とが設けられている。
【００１８】
次に、拳銃用ホルスタ１について説明すると、拳銃用ホルスタ１には、拳銃５を収納するホルスタ本体１０とホルスタ本体１０に対して回動自在なカバー１２とが設けられている。このホルスタ本体１０には、拳銃５を入れる開口１１が形成されており、このホルスタ本体１０は、開口１１から挿入された拳銃５を拳銃５のグリップ５１が飛び出した状態で収納できるように形成されている。したがって、ホルスタ本体１０は、撃鉄部５２を除いた銃身５３、銃口５４、引き金５５等の重要機構部分を収納できるよう形状に形成されている。
【００１９】
ホルスタ本体１０の端部１６には、図２（ａ）に示すように、拳銃５の銃口５４に対応する部分を除いて開口１７が形成されている。ホルスタ本体１０内に進入した砂、水分、泥等は、開口１７から排出することができる。また、図３（ｂ）に示すように、端部１６の略全体に開口１７ａを形成するようにしてもよい。
【００２０】
図１に戻り、ホルスタ本体１０には、調整ねじ１８が設けられており、この調整ねじ１８を締めたり緩めたりすることにより、ホルスタ本体１０の収納幅が調節されて、拳銃５をホルスタ本体１０に収納する際のホルスタ本体１０が拳銃５を押さえつける力を調節することができる。ホルスタ本体１０の収納幅を調整することによって、ホルスタ本体１０の拳銃５に対する保持力を調整でき、拳銃５がホルスタ本体１０内でガタ付くのを抑制できる。
【００２１】
次に、カバー１２について説明する。カバー１２は、図１に示すように、ホルスタ本体１０の開口１１と、拳銃５の撃鉄部５２を覆って、砂、水、泥等がホルスタ本体１０内に入らないよう形成されている。カバー１２は、拳銃５をホルスタ本体１０に収納した際、拳銃の撃鉄部５２を覆うことができ、拳銃５を保護する機能を持つ。カバー１２は、ホルスタ本体１０の両側からビス３１によって、ホルスタ本体１０に回動自在に取り付けられている。カバー１２が開放位置の状態（図３（ｂ）参照）で、拳銃５をホルスタ本体１０の開口１１から取り出すことができる。
【００２２】
また、図１および図３に示すように、カバー１２とホルスタ本体１０の間には、第２付勢手段としてのカバースプリング２１が付いており、このカバースプリング２１はカバー１２がホルスタ本体１０上部を開放する方向（図１（ｂ）、図３（ｂ）にて、左回転）に付勢して荷重を与えている。ビス３１とカバースプリング２１とによって、回動部が構成されている。なおビス２１のみによって回動部が構成されていてもよい。
【００２３】
次に、ロック部材１４について説明する。図１および図３に示すように、ホルスタ本体１０の側面には、切り欠き孔（係合部）２６が設けられている。一方、カバー１２にはプッシュレバー１５が付いており、このプッシュレバー１５が中心軸２２を中心に揺動自在に設けられている。このプッシュレバー１５の裏面には、突起部２３が形成されており、この突起部２３がホルスタ本体の切り欠き孔２６に引っ掛かることにより、拳銃５の収納時にカバー１２の動きを固定できる。
【００２４】
さらに、プッシュレバー１５とカバー１２の間には、第１付勢手段としてのレバースプリング２４が取り付けられており、このレバースプリング２４がプッシュレバー１５の突起部２３がホルスタ本体の切り欠き孔２６に引っ掛かる方向（図１（ａ）、図３（ａ）にて、右回転）に荷重を与えている。このプッシュレバー１５は、カバー１２の側面であって、カバー１２の外形より一段窪んだ凹部２７内に設けられている。この突起部２３とホルスタ本体１０の切り欠き孔２６とによって、ロック部材１４が構成されている。
【００２５】
また、ホルスタ本体１０の上面には、カバー１２を開放位置で停止させるストッパ２０が設けられている。このストッパ２０は、図３（ｂ）に示すように、ホルスタ本体１０に対して拳銃５を収納し又は取り出すのに必要な最小限の位置までカバー１２が回動したときに、カバー１２に当接する位置に設けられている。これにより、カバー１２の回動幅を小さくしてカバーの突出量を制限することができる。
【００２６】
ホルスタ本体１０及びカバー１２は、たとえば耐熱性及び耐候性の高い樹脂で形成されている。これによって、拳銃用ホルスタ１を屋外で使用した場合でも、熱や紫外線等によってホルスタ本体１０及びカバー１２に、変形、変色、劣化、割れ等が発生するのを抑制できる。ホルスタ本体１０及びカバー１２は、形状を保持できる材料であれば樹脂以外の適宜な材料、例えば革等で形成することができる。また、ホルスタ本体１０を樹脂等の硬質な材料で形成した場合には、ホルスタ本体１０の内面に革等の比較的柔らかい材料を貼ることにより、拳銃５がホルスタ本体１０内で滑るのを抑制できる。
【００２７】
次に、この拳銃用ホルスタ１の作用を説明する。図１に示すように、カバー１２が閉鎖位置にある場合、拳銃５は、グリップ５１を除いた拳銃５の殆どの部分がホルスタ本体１０及びカバー１２によって覆われている。この状態では、プッシュレバー１５の突起部２３がホルスタ本体１０の切り欠き孔２６に引っ掛かり係合され、その係合状態がレバースプリング２４によって保持されている。これによって、カバー１２が閉鎖位置でロックされ、不用意に開かれるのを防止できる。
【００２８】
この状態から、カバー１２を開く場合は、まず図３（ａ）に示すように、プッシュレバー１５の中心軸２２より右側の部分を、親指にて所定の押圧力で拳銃５側に押圧する。これによって、プッシュレバー１５が中心軸２２を中心に反時計回転方向に揺動し、突起部２３がホルスタ本体１０の切り欠き孔２６から抜け出てその係合が解除される。
これにより、カバー１２のロックが解除される。
【００２９】
カバー１２のロックが解除されると、図３（ｂ）に示すように、カバー１２がカバースプリング２１によって自動的に回動を開始し、前方に回転するする。その後、カバー１２はホルスタ本体１０の前面にあるストッパ２０に当接して開放状態で停止し、カバー１２の移動が終了する。この状態では、ホルスタ本体１０の上部は解放され、拳銃５をホルスタ本体１０から取り出すことが可能となる。このように、ロックされているカバー１２を簡単な操作で迅速にロック解除して開くことができるので、拳銃５を素早く取り出すことができる。
【００３０】
次に、カバー１２を図３（ｂ）の開放位置から閉鎖位置まで移動させる場合は、まず拳銃５をホルスタ本体１０に収納し、カバー１２を手動にてホルスタ本体１０側に押圧して、カバー１２を拳銃５の撃鉄部５２の位置まで動かす。カバー１２が拳銃５の撃鉄部５２に近づくと、プッシュレバー１５がレバースプリングによって付勢されているため、プッシュレバー１５の突起部２３がホルスタ本体１０に設けられた切り欠き孔２６内に挿入されて係合され、カバー１２の動きは固定される。これによって、カバー１２が閉鎖位置でロックされ、不用意に開放されるのを抑制できる。
【００３１】
なお、本実施形態では、プッシュレバー１５の突起部２３がホルスタ本体１０の切り欠き孔２６に係合されるとき、すなわちカバー１２がロックされるときに、例えばカチッという音が発生し、突起部２３が切り欠き孔２６から抜き出されてカバー１２のロックが解除されるときには、音が発生しないように構成されている。これにより、操作者はカバー１２をロックしたことを音で確実に確認できる。また、操作者が拳銃５を取り出すためにカバー１２のロックを解除するときには音が発生しないので、周囲に気づかれるのを回避できる。
【００３２】
本実施形態の拳銃用ホルスタ１によれば、プッシュレバー１５を拳銃５側に押圧するだけでカバー１２のロックを簡単に解除して拳銃５を抜くことができると共に、開放位置にあるカバー１２を閉鎖位置側に押圧するだけで、カバー１２を閉鎖位置に移動させてその位置でカバー１２を簡単にロックできるので、操作性が大幅に向上する。
【００３３】
また、カバー１２はホルスタ本体１０の開口１１を覆うように形成されているため、拳銃５の銃口５４を含め拳銃の重要な機構部分を極力覆うことができ、砂、水、泥等の浸入を防止することができる。
【００３４】
また、カバー１２はホルスタ本体１０に回動可能に設けられているので、カバー１２が開放位置に回動した場合でも、カバー１２の突出量を少なくすることができ、全体をコンパクトにできる。また、プッシュレバー１５によってロック部材１４のロック状態を簡単に解除できるので、操作性が大幅に向上する。更に、カバー１２は、ビス３１とカバースプリング２１とによって構成される回動部によってホルスタ本体１０に取り付けられているので、ロックを解除した際にカバー１２が自動的に回動して開放される。
従って、操作性が向上する。
【００３５】
また、ホルスタ本体１０に設けられたストッパ２０によって、カバー１２が開放位置にてカバー１２の位置を規制することができるため、開放位置においてカバー１２の位置を規制することができ、ホルスタ本体１０とカバー１２が直接接触するのを防止できる。また、カバー１２の可動範囲を少なくして小型化できる。更に、カバー１２が必要以上に開き過ぎるのを抑制できるので、カバー１２を比較的少ない回動量で容易に閉鎖できる。なお、カバー１２が開放位置にあるときに、カバー１２がホルスタ本体１０から出っ張る範囲が大きくても問題ない場合には、カバー１２を大きくすることもできる。
【００３６】
また、プッシュレバー１５は、カバー１２の外形形状よりも窪んだ凹部２７に配置されているので、カバー１２が接触した場合でもプッシュレバー１５の意図しない操作を防止できる。
【００３７】
また、プッシュレバー１５は、拳銃５の操作者がグリップ５１を握った状態で指が届く位置に設けられているので、グリップ５１を握った状態でロックを解除し、拳銃５を取り出すことが出来る為、操作性が更に向上する。
【００３８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３９】
１  拳銃用ホルスタ
５  拳銃
１０  ホルスタ本体
１１  開口
１２  カバー
１４  ロック部材
１５  プッシュレバー（操作部）
１６  端部
１７  開口
１８  調整ねじ
２０  ストッパ
２１  カバースプリング
２２  中心軸
２３  突起部
２４  レバースプリング
２６  切り欠き孔（係合部）
２７  凹部
３１  ビス
５１  グリップ
５２  撃鉄部
５３  銃身
５４  銃口
５５  引き金部
【図１】
2011153770.tif 000003
【図２】
2011153770.tif 000004
【図３】
2011153770.tif 000005